(57)【要約】【課題】信頼性が向上する入力装置、表示装置、および機器を提供する。【解決手段】入力装置Ｘ１は、平面視して矩形状をなした基体２と、基体２上に設けられた複数の検出電極３ａ，４ａと、基体２上に設けられており、かつ複数の検出電極３ａ，４ａの外側に位置する電極配線９と、基体２上に設けられており、かつ平面視して複数の検出電極３ａ，４ａを覆うシールド層１４と、電極配線９とシールド層１４とが電気的に接続された導通部１５と、を備え、導通部１５は、基体２の隅部Ｒ１以外の部位上に設けられている。【選択図】図２
2013045155.tif 000002
【特許請求の範囲】
【請求項１】
平面視して矩形状をなした基体と、
前記基体上に設けられた複数の検出電極と、
前記基体上に設けられており、かつ前記複数の検出電極の外側に位置する電極配線と、
前記基体上に設けられており、かつ平面視して前記複数の検出電極を覆うシールド層と、
前記電極配線と前記シールド層とが電気的に接続された導通部と、を備え、
前記導通部は、前記基体の隅部以外の部位上に設けられている、入力装置。
【請求項２】
前記導通部は、前記基体の隅部間の中央部に位置する、請求項１に記載の入力装置。
【請求項３】
前記電極配線は、平面視して前記複数の検出電極を取り囲むように設けられている、請求項１または２に記載の入力装置。
【請求項４】
請求項１〜３のいずれか一項に記載の入力装置と、
前記入力装置に対向して配置された表示パネルと、
前記表示パネルが収容された第１筐体と、を備えた表示装置。
【請求項５】
前記表示パネルは、液晶表示パネルである、請求項４に記載の表示装置。
【請求項６】
請求項４または５に記載の表示装置を第２筐体に備えた機器。
【発明の詳細な説明】
【技術分野】
【０００１】
本発明は、例えば、使用者が入力操作した箇所を入力位置として検出する入力装置、表示装置、および機器に関する。
【背景技術】
【０００２】
入力装置としては、例えば、指と検出電極との間での静電容量の変化を捉えて入力位置を検出する静電容量方式のタッチパネルが知られている（例えば、特許文献１および２参照）。このような入力装置は、表示パネルと対向する面に、表示パネルにより発生したノイズを遮蔽するためのシールド層が設けられている（例えば、特許文献３参照）。このシールド層は、グランド電位に設定するために、入力装置の基体上に設けられた電極配線と電気的に接続されている。
【先行技術文献】
【特許文献】
【０００３】
【特許文献１】特開２００８−９７２８３号公報
【特許文献２】特開２００８−３１０５５１号公報
【特許文献３】特開２００１−３２５０７０号公報
【発明の概要】
【発明が解決しようとする課題】
【０００４】
上記の入力装置における基体は、使用環境によっては熱収縮が生じる可能性がある。基体に熱収縮が生じると、基体の隅部を中心に大きく変形することがある。このため、電極配線とシールド層とが電気的に接続された導通部を設ける位置によっては、導通部にクラック等が生じ、入力装置の信頼性が低下する可能性があった。
【０００５】
本発明は、上記の問題点に鑑みてなされたものであり、その目的は、信頼性が向上する入力装置、表示装置、および機器に関する。
【課題を解決するための手段】
【０００６】
本発明の入力装置における一態様は、平面視して矩形状をなした基体と、前記基体上に設けられた複数の検出電極と、前記基体上に設けられており、かつ前記複数の検出電極の外側に位置する電極配線と、前記基体上に設けられており、かつ平面視して前記複数の検出電極を覆うシールド層と、前記電極配線と前記シールド層とが電気的に接続された導通部と、を備え、前記導通部は、前記基体の隅部以外の部位上に設けられている。
【０００７】
本発明の表示装置における一態様は、本発明に係る入力装置と、前記入力装置に対向して配置された表示パネルと、前記表示パネルが収容された第１筐体と、を備える。
【０００８】
本発明の機器における一態様は、本発明に係る表示装置を第２筐体に備える。
【発明の効果】
【０００９】
本発明の入力装置、表示装置、および機器は、信頼性が向上する、という効果を奏する。
【図面の簡単な説明】
【００１０】
【図１】本実施形態に係る入力装置の概略構成を示す平面図である。
【図２】上記の入力装置の概略構成を示す平面図であって、基体を透視した図である。
【図３】上記の入力装置の概略構成を示す平面図であって、図１とは反対側から見た図である。
【図４】図２中に示した切断線Ｉ−Ｉに沿って切断した断面図である。
【図５】図２中に示した切断線ＩＩ−ＩＩに沿って切断した断面図である。
【図６】図２中に示した切断線ＩＩＩ−ＩＩＩに沿って切断した断面図である。
【図７】本実施形態に係る表示装置の概略構成を示す断面図である。
【図８】本実施形態に係る携帯端末の概略構成を示す斜視図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および機器は、本明細書が参照する各図に示されていない任意の構成部材を備え得る。
【００１３】
図１および図２に示すように、本実施形態に係る入力装置Ｘ１は、静電容量方式のタッチパネルであって、使用者によって入力操作が可能な入力領域ＥＩと、入力領域ＥＩの外側に位置する外側領域ＥＯとを有している。
【００１４】
図１〜図６に示すように、入力装置Ｘ１は、基体２を備えている。
【００１５】
基体２は、入力領域ＥＩにおいて後述する第１検出電極３ａ、第１接続電極３ｂ、第２検出電極４ａ、および第２接続電極４ｂを支持する役割を担うとともに、外側領域ＥＯにおいて後述する配線導体８および電極配線９を支持する役割を担う部材である。基体２は、操作面２ａ、および操作面２ａの反対側に位置する背面２ｂを有している。
【００１６】
基体２は、操作面２ａおよび背面２ｂに対して交差する方向に光を適切に透過することが可能な構成とされるとともに、絶縁性を有する構成とされている。基体２の構成材料としては、例えば、透明ガラスあるいは透明プラスチック等の透光性を有するものが挙げられるが、中でも視認性の観点において透明ガラスが好ましい。なお、本明細書において透光性とは、可視光に対する透過性を有することを意味する。また、本実施形態に係る基体２の平面視形状は隅部Ｒ１が丸みを帯びている矩形状とされているが、これには限られない。隅部Ｒ１が丸みを帯びていなくともよい。
【００１７】
図２，図４，および図５に示すように、入力領域ＥＩに対応する基体２の背面２ｂ上には、第１検出電極３ａ、第１接続電極３ｂ、第２検出電極４ａ、第２接続電極４ｂ、および絶縁体５が設けられている。
【００１８】
第１検出電極３ａは、入力領域ＥＩに接近した使用者の指Ｆ１の、Ｙ方向における入力位置の検出を行う役割を有するものであり、指Ｆ１との間に静電容量を発生する機能を有している。すなわち、第１検出電極３ａは、基体２の背面２ｂ上に、Ｘ方向に沿って所定の間隔を空けて複数設けられている。ここで、本実施形態に係る第１検出電極３ａは、検出感度を向上する観点から、平面視形状が略ひし形とされているが、これには限られない。
【００１９】
第１接続電極３ｂは、隣り合う第１検出電極３ａを電気的に接続する役割を担う部材である。第１接続電極３ｂは、基体２の背面２ｂ上に設けられている。
【００２０】
第２検出電極４ａは、入力領域ＥＩに接近した使用者の指Ｆ１の、Ｘ方向における入力位置の検出を行う役割を有するものであり、指Ｆ１との間に静電容量を発生する機能を有している。すなわち、第２検出電極４ａは、基体２の背面２ｂ上に、Ｙ方向に沿って所定の間隔を空けて複数設けられている。ここで、本実施形態に係る第２検出電極４ａは、検出感度を向上する観点から、平面視形状が略ひし形とされているが、これには限られない。
【００２１】
第２接続電極４ｂは、隣り合う第２検出電極４ａを電気的に接続する役割を担う部材である。第２接続電極４ｂは、第１接続電極３ｂと電気的に絶縁するように、絶縁体５を跨ぐように、絶縁体５上に設けられている。ここで、絶縁体５は、第１接続電極３ｂを覆うように基体２の背面２ｂ上に設けられている。絶縁体５の構成材料としては、例えば、アクリル樹脂、エポキシ樹脂、シリコーン樹脂、二酸化珪素、あるいは窒化珪素等が挙げられる。
【００２２】
上述の第１検出電極３ａ、第１接続電極３ｂ、第２検出電極４ａ、および第２接続電極４ｂの構成材料としては、例えば、透光性を有する導電部材が挙げられる。透光性を有する導電部材としては、例えば、ＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、あるいは導電性高分子が挙げられる。
【００２３】
また、図６に示すように、外側領域ＥＯに対応する基体２の背面２ｂ上には、遮光膜６、第１絶縁膜７、配線導体８、電極配線９、および第２絶縁膜１０が設けられている。
【００２４】
遮光膜６は、入力装置Ｘ１の外側領域ＥＯを例えば黒色に加飾する役割を担う部材である。本実施形態では、遮光膜６は、入力領域ＥＩを取り囲むように枠状に設けられている。遮光膜６が枠状に設けられているので、入力装置Ｘ１のデザイン性を向上させることができる。遮光膜６の構成材料としては、例えば、カーボンを含む樹脂材料、酸化クロム、あるいは酸化チタン等が挙げられる。遮光膜６を形成する方法としては、例えば、スクリーン印刷法、インクジェット法、スパッタリング法、蒸着法等が挙げられる。
【００２５】
第１絶縁膜７は、外側領域ＥＯにおいて、遮光膜６を保護するとともに、遮光膜６と配線導体８、および遮光膜６と電極配線９とを絶縁させる役割を担う部材である。このため、第１絶縁膜７は、遮光膜６を覆うように当該遮光膜６上に設けられている。第１絶縁膜７の構成材料としては、例えば、アクリル系樹脂、エポキシ系樹脂、あるいは二酸化珪素等が挙げられる。第１絶縁膜７を形成する方法としては、例えば、転写印刷法、スピンコート法、あるいはスリットコート法等が挙げられる。
【００２６】
配線導体８は、第１検出電極３ａおよび第２検出電極４ａに電圧を印加するための役割を担う部材である。図２に示すように、配線導体８は、その一端部が第１検出電極３ａおよび第２検出電極４ａと電気的に接続され、その他端部が外部導通領域Ｇ１に位置している。外部導通領域Ｇ１には例えば図示しないフレキシブル基板が接続される。また、配線導体８は、第１絶縁膜７を介して遮光膜６上に設けられている。すなわち、遮光膜６は、平面視して、配線導体８および電極配線９を覆うように設けられている。このため、遮光膜６によって、配線導体８および電極配線９が使用者に視認されてしまう可能性を低減することができる。
【００２７】
電極配線９は、外部からのノイズを遮蔽するための役割を担う部材である。すなわち、電極配線９は、配線導体８および検出電極３ａ，４ａに対して外部からのノイズによる影響を低減するための役割を担う部材である。このため、電極配線９は、図２に示すように、配線導体８および検出電極３ａ，４ａの外側に位置している。より具体的には、本実施
形態のように、電極配線２は、平面視して配線導体８および検出電極３ａ，４ａを取り囲むように設けられていることが好ましい。電極配線２が平面視して配線導体８および検出電極３ａ，４ａを取り囲むように設けられていると、入力装置Ｘ１が例えば後述する表示装置Ｙ１および携帯端末Ｐ１に備えられた場合に、表示装置Ｙ１および携帯端末Ｐ１に搭載された電子部品等の外部からのノイズによる影響をより確実に低減することが可能となる。なお、本明細書において、「配線導体８および検出電極３ａ，４ａを取り囲む」とは、電極配線２が、配線導体８および検出電極３ａ，４ａを完全に取り囲む必要はなく、例えば、図２で示されているように、電極配線２と外部導通領域Ｇ１とによって、配線導体８および検出電極３ａ，４ａを取り囲むことも含む意味である。また、電極配線９は、一端および他端が、外部導通領域Ｇ１に位置している。電極配線９は、基準電位、特に、グランド電位に設定されていることが好ましい。
【００２８】
配線導体８および電極配線９は、例えば、硬質で高い形状安定性を得るべく、金属薄膜で構成されている。この金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、金属薄膜を形成する方法としては、例えば、スパッタリング法、蒸着法、あるいは化学気相成長法が挙げられる。
【００２９】
第２絶縁膜１０は、外側領域ＥＯにおいて、配線導体８および電極配線９を保護するための役割を担う部材である。このため、第２絶縁膜１０は、配線導体８および電極配線９を覆うように第１絶縁膜７上に設けられている。第２絶縁膜１０の構成材料としては、第１絶縁膜７と同様、例えば、アクリル系樹脂、エポキシ系樹脂、あるいは二酸化珪素等が挙げられる。第２絶縁膜１０を形成する方法としては、例えば、転写印刷法、スピンコート法、スリットコート法等が挙げられる。
【００３０】
また、図１，図２，図４〜図６に示すように、入力領域ＥＩおよび外側領域ＥＯに対応する基体２の操作面２ａ上には、粘着材１１を介して操作面保護フィルム１２が設けられている。また、図４および図５に示すように、入力領域ＥＩに対応する基体２の背面２ｂ上には、粘着材１１を介して背面保護フィルム１３が設けられている。操作面保護フィルム１２および背面保護フィルム１３としては、例えば、ポリエステルフィルム、ポリプロピレンフィルム、ポリエチレンフィルム等が挙げられる。また、粘着材１１としては、例えば、アクリル系粘着材、シリコーン系粘着材、ゴム系粘着材、ウレタン系粘着材等が挙げられる。
【００３１】
また、図３〜図６に示すように、入力領域ＥＩに対応する背面保護フィルム１３上、および外側領域ＥＯに対応する第２絶縁膜１０上には、シールド層１４が設けられている。本実施形態では、シールド層１４は、背面保護フィルム１３の背面全面および第２絶縁膜１０の背面全面に設けられている。シールド層１４は、後述する液晶表示パネル１０１により発生したノイズを遮蔽するための役割を担う部材である。すなわち、シールド層１４は、検出電極３ａ，４ａおよび配線導体８に対して液晶表示パネル１０１からのノイズによる影響を低減するための役割を担う部材である。
【００３２】
シールド層１４は、ベースフィルム１４ａ、および導電部材１４ｂを備えている。ベースフィルム１４ａは、絶縁性を有している。ベースフィルム１４ａとしては、例えば、ポリエステルフィルム、ポリプロピレンフィルム、ポリエチレンフィルム等が挙げられる。導電部材１４ｂは、ベースフィルム１４ａ上に設けられている。導電部材１４ｂとしては、例えば、ＩＴＯ、ＩＺＯ、ＡＴＯ、ＡＺＯ、酸化錫、酸化亜鉛、あるいは導電性高分子が挙げられる。
【００３３】
導通部１５は、電極配線９とシールド層１４における導電部材１４ｂとを電気的に接続
するための役割を担う部材である。本実施形態では、図６に示すように、第２絶縁膜１０およびベースフィルム１４ａに貫通孔Ｔ１を形成し、当該貫通孔Ｔ１に、はんだ、銀ペースト等からなる貫通導体を形成することにより、導通部１５が形成される。電極配線９とシールド層１４における導電部材１４ｂとが導通部１５により電気的に接続されることにより、導電部材１４ｂの抵抗値を下げることができる。これにより、液晶表示パネル１０１により発生したノイズをより効率的に遮蔽することが可能となる。
【００３４】
なお、上記では、導通部１５を貫通導体により形成した例について説明したが、これに限定されない。第２絶縁膜１０およびベースフィルム１４ａに切り欠きを形成し、当該切り欠きに、はんだ、銀ペースト等からなる導体部材を形成することにより、導通部１５を形成してもよい。
【００３５】
ここで、導通部１５は、基体２の隅部Ｒ１以外の部位上に設けられている。導通部１５が基体２の隅部Ｒ１以外の部位上に設けられているので、基体２に熱収縮が生じた場合であっても、導通部１５にクラック等が生じる可能性を低減することができる。
【００３６】
具体的には、入力装置Ｘ１が、例えば、昼と夜のように温度差のある使用環境で用いられた場合、入力装置Ｘ１における基体２は、熱収縮が生じる可能性がある。基体２に熱収縮が生じた場合、基体２の隅部Ｒ１を中心に大きく変形する可能性がある。これに対して、本実施形態に係る入力装置Ｘ１では、導通部１５は、基体２の隅部Ｒ１以外の部位上に設けられている。このため、基体２に熱収縮が生じた場合であっても、導通部１５にクラック等が生じる可能性を低減することができる。
【００３７】
なお、本実施形態では、基体２の隅部Ｒ１とは、平面視して、基体２の長辺を等間隔に８分割するとともに、基体２の短辺を等間隔に８分割し、基体２の長辺に対して垂直な線と、基体２の短辺に対して垂直な線とを結ぶ領域のうち、基体２の隅に最も近い領域を意味している。
【００３８】
また、図３に示すように、導通部１５は、基体２の隅部Ｒ１間の中央部Ｃ１に位置することが好ましい。基体２に熱収縮が生じた場合には、基体２の隅部Ｒ１が最も熱収縮の影響を受けるとともに、基体２の隅部Ｒ１間に位置する中央部Ｃ１が最も熱収縮の影響を受けないことになる。すなわち、基体２の隅部Ｒ１が最も大きく変形し、基体２の隅部Ｒ１間に位置する中央部Ｃ１が最も変形しない。このため、導通部１５が基体２の隅部Ｒ１間の中央部Ｃ１に位置していると、導通部１５にクラック等が生じる可能性をより低減することができる。
【００３９】
なお、図２および図３では、導通部１５は、２つ設けられていることを図示したが、これに限定されない。導通部１５が基体２の隅部Ｒ１以外の部位上に設けられていれば、導通部１５の数については、特に限定されない。
【００４０】
次に、上記の入力装置Ｘ１の検出原理について説明する。
【００４１】
入力領域ＥＩに対応する基体２の操作面２ａに、操作面保護フィルム１２を介して導電体である指Ｆ１が近接、接触、または押圧すると、指Ｆ１と検出電極３ａ,４ａとの間の
静電容量が変化する。ここで、図示しない位置検出ドライバは、指Ｆ１と検出電極３ａ,
４ａとの間の静電容量の変化を常に検出している。この位置検出ドライバは、所定値以上の静電容量の変化を検出すると、静電容量の変化が検出された位置を入力位置として検出する。このようにして、入力装置Ｘ１は、入力位置を検出することができる。なお、入力装置Ｘ１が入力位置を検出する方式として、相互キャパシタンス方式および自己キャパシタンス方式のいずれの方式であってもよい。相互キャパシタンス方式を採用すると、同時
に複数の入力位置を検出できるので、自己キャパシタンス方式を採用する場合と比べて、好ましい。
【００４２】
以上のように、上記の入力装置Ｘ１では、信頼性が向上する。
【００４３】
次に、入力装置Ｘ１を備えた表示装置Ｙ１について、図７を参照しながら説明する。
【００４４】
図７に示すように、本実施形態に係る表示装置Ｙ１は、入力装置Ｘ１と、入力装置Ｘ１に対向して配置される液晶表示装置Ｚ１とを備えている。
【００４５】
液晶表示装置Ｚ１は、液晶表示パネル１０１、バックライト１０２、および第１筐体１０３を備えている。
【００４６】
液晶表示パネル１０１は、表示のために液晶組成物を利用した表示パネルである。なお、液晶表示パネル１０１の代わりに、プラズマディスプレイ、有機ＥＬディスプレイ、電子ペーパ等の表示パネルであってもよい。バックライト１０２は、光源１０２ａおよび導光板１０２ｂを備えている。光源１０２ａは、導光板１０２ｂに向けて光を出射する役割を担う部材であり、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板１０２ｂは、液晶表示パネル１０１の下面全体にわたって、光源１０２ａからの光を略均一に導くための役割を担う部材である。
【００４７】
第１筐体１０３は、液晶表示パネル１０１およびバックライト１０２を収容する役割を担うものであり、上側筐体１０３ａおよび下側筐体１０３ｂを含んで構成される。第１筐体１０３の構成材料としては、例えば、ポリカーボネート等の樹脂、あるいは、ステンレス、アルミニウム等の金属が挙げられる。
【００４８】
ここで、入力装置Ｘ１と液晶表示装置Ｚ１とは、両面テープ１０４を介して接着される。すなわち、入力装置Ｘ１における基体２の背面２ｂが液晶表示パネル１０１の主面に対向して配置されるように、入力装置Ｘ１と液晶表示装置Ｚ１とが、両面テープ１０４を介して接着される。なお、入力装置Ｘ１と液晶表示装置Ｚ１との固定方法に使用される固定用部材は両面テープ１０４には限られず、例えば、熱硬化性樹脂、紫外線硬化性樹脂等の接着部材、あるいは入力装置Ｘ１と液晶表示装置Ｚ１とを物理的に固定する固定構造体であってもよい。また、入力装置Ｘ１と液晶表示装置Ｚ１とは、互いに接して配置されていてもよいし、隙間を空けて配置されていてもよい。
【００４９】
このように、入力装置Ｘ１は、液晶表示装置Ｚ１の液晶表示パネル１０１を透視しながら、入力装置Ｘ１の入力領域ＥＩを入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５０】
表示装置Ｙ１は、入力装置Ｘ１を備えているので、信頼性が向上する。
【００５１】
次に、表示装置Ｙ１を備えた携帯端末Ｐ１について、図８を参照しながら説明する。
【００５２】
図８に示すように、本実施形態に係る携帯端末Ｐ１は、例えば、携帯電話、スマートフォン、ＰＤＡ等の機器であって、表示装置Ｙ１と、音声入力部２０１と、音声出力部２０
２と、キー入力部２０３と、第２筐体２０４とを備えている。
【００５３】
音声入力部２０１は、例えば、マイク等により構成されており、使用者の音声等が入力される。音声出力部２０２は、スピーカ等により構成されており、相手方からの音声等が出力される。キー入力部２０３は、例えば、機械的なキーにより構成される。なお、キー入力部２０３は、表示画面に表示された操作キーであってもよい。第２筐体２０４は、表示装置Ｙ１、音声入力部２０１、音声出力部２０２、およびキー入力部２０３を収容する役割を担う部材である。
【００５４】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００５５】
携帯端末Ｐ１は、表示装置Ｙ１を備えているので、信頼性が向上する。
【００５６】
なお、上記では、携帯端末Ｐ１に音声入力部２０１を備えている例について説明したが、これに限定されない。すなわち、携帯端末Ｐ１には音声入力部２０１は備えられていなくともよい。
【００５７】
ここで、表示装置Ｙ１は、上記の携帯端末Ｐ１の代わりに、産業用途で使用されるプログラマブル表示器、電子手帳、パーソナルコンピュータ、複写機、ゲーム用の端末装置、テレビ、デジタルカメラ等の種々の機器に備えられていてもよい。
【符号の説明】
【００５８】
Ｘ１  入力装置
Ｙ１  表示装置
Ｐ１  携帯端末
２  基体
３ａ  第１検出電極（検出電極）
４ａ  第２検出電極（検出電極）
９  電極配線
１４  シールド層
１４ａ  ベースフィルム
１４ｂ  導電部材
１５  導通部
１０１  液晶表示パネル（表示パネル）
１０３  第１筐体
２０４  第２筐体
Ｒ１  基体の隅部
【図１】
2013045155.tif 000003
【図２】
2013045155.tif 000004
【図３】
2013045155.tif 000005
【図４】
2013045155.tif 000006
【図５】
2013045155.tif 000007
【図６】
2013045155.tif 000008
【図７】
2013045155.tif 000009
【図８】
2013045155.tif 000010